(57)【要約】      （修正有）【課題】容易に瓶内の液体を飲めるシンプルな構造であり、瓶を倒しても、瓶内の液体が漏れない瓶の蓋の改良構造を提供する。【解決手段】上部品と下部品で蓋を構成し、上部品は下部品と接続して嵌合し、下部品内に瓶口と対応する裏ねじ山および飲み口を設け、下部品に通気穴を設け、上部品に通気穴を塞ぐ円すいの突起を設置し、下部品の内側に同じ形状のガスケットとプレートを設け、プレートでガスケットをしっかりと下部品内に固定する。ガスケットの真ん中は凸状を呈し、外回りに切り口を設け、プレートに円形の穴を均等に設け、上下部品の間に掛合部品を設ける。【選択図】図１
0003161492.tif 000002
【実用新案登録請求の範囲】
【請求項１】
上部品と下部品を含み、
該上部品は該下部品と接続して嵌合し、下部品内に瓶口と対応する裏ねじ山および飲み口を設け、および
該下部品に通気穴を設け、該上部品には該通気穴を塞ぐ円すいの突起を設けることを特徴とする瓶の蓋の改良構造。
【請求項２】
前記下部品の内側に同じ形状のガスケットとプレートを設け、プレートでガスケットをしっかりと下部品内に固定することを特徴とする請求項1記載の瓶の蓋の改良構造。
【請求項３】
前記ガスケットの真ん中は凸状を呈し、外回りに切り口を設けることを特徴とする請求項2記載の瓶の蓋の改良構造。
【請求項４】
前記プレートに円形の穴を均等に設けることを特徴とする請求項1記載の瓶の蓋の改良構造。
【請求項５】
前記上下部品の間に掛合部品を設けることを特徴とする請求項1記載の瓶の蓋の改良構造。
【考案の詳細な説明】
【技術分野】
【０００１】
本考案は、瓶の蓋の構造に関し、特に現有の蓋に改良を加えた構造に関する。
【背景技術】
【０００２】
現在市販されている飲み口を含む蓋を使用する製品が極めて少ない上、同類製品にも大きな欠点が二つある。一つ目は飲む際に瓶の飲み口を口に含み、力を入れて吸わないと瓶内の液体が飲めない。子供あるいはお年寄りなど肺活量が小さい方だと、吸い出して飲むのが難しい。二つ目は、瓶を倒した際、瓶内の液体が飲み口よりこぼれ、瓶の周りを濡らしてしまう。また、現有の蓋の構造が複雑であり、生産効率が悪く、大量生産することができないなど、改善する必要があった。
【特許文献１】特開２００８−１７９３９０号公報
【考案の開示】
【考案が解決しようとする課題】
【０００３】
前記従来技術の欠点を解決するために、本考案は、容易に瓶内の液体が飲めるシンプルな構造かつ、瓶を倒しても液体が漏れない瓶の蓋の改良構造を提供することを主な課題とする。
【課題を解決するための手段】
【０００４】
前記課題を解決するために、本考案は、上部品と下部品で蓋を構成し、上部品は下部品と接続して嵌合する。下部品内に瓶口と対応する裏ねじ山および飲み口を設ける。該特徴は、下部品に通気穴を設け、上部品に通気穴を塞ぐ円すいの突起を設ける。
【０００５】
前記下部品の内側に同じ形状のガスケットとプレートを設け、プレートでガスケットをしっかりと下部品内に固定する。
【０００６】
前記ガスケットの真ん中は凸状を呈し、外回りに切り口を設ける。
【０００７】
前記プレートに円形の穴を均等に設ける。
【０００８】
前記上下部品の間に掛合部品を設ける。
【０００９】
本考案は、従来技術と比べ下記のメリットを具有する。
下部品に通気穴を設けているため、ユーザーが飲む際、蓋の飲み口を口に含むと、通気穴の設置により、瓶内の水圧が外側の大気圧と同じになり、瓶内の真空が解かれるため、簡単に瓶内の液体を飲むことができる。上部品を下部品に掛合する際、上部品にある円すい突起が通気穴を塞ぎ、瓶内の液体が漏れるのを防止する。上下部品の間にある掛合部品により、上下部品がしっかりと掛合し、離れることがない。ガスケットにある切り口により、瓶を倒しても、切り口が水圧により自動的に閉鎖するため、瓶内の水が漏れるのを防止する。本考案は部品の数が少なく、設置が簡単であるため、生産効率が高く、大量生産に最適である。
【考案の効果】
【００１０】
本考案は、通気穴の設置により、瓶内外の気圧が同じになるため、容易に瓶内の液体を飲むことができる。また、ガスケットにある切り口により、瓶を倒しても、切り口が水圧で閉鎖するため、瓶内の水が漏れるのを防止することができる。
【考案を実施するための最良の形態】
【００１１】
図１の蓋組み立て斜視図、および、図２の蓋分解斜視図に示すように、本考案の実施例の蓋は主に上部品1および下部品2で構成される。
前記下部品2の中央部分には飲み口3を設け、内側に瓶口と螺合するねじ山4を設け、サイドに通気穴5を設ける。上及び下部品1、2は互いに対応し、上部品1は掛合部品6を通じてしっかりと下部品2と掛合し、ソフトシートを通じて上下部品1、2が接続する。上部品1の通気穴5と対応する位置に円すい状の突起7を設ける。上下部品1、2を掛合する際、円すい状突起7が通気穴5を塞ぎ、瓶内の液体が通気穴5より流出するのを防止する。
前記下部品2の内部にガスケット8とプレート9を設ける。ガスケット8はプレート9により、しっかりと下部品2の内部に固定する。ガスケット8の真ん中は凸状を呈し、外回りに切り口10を設ける。瓶を倒した際、切り口10が水圧で閉鎖するため、瓶内の液体が漏れるのを防止する。ガスケット8の外回りと対応してプレート9の周りに均等に円形の穴11を設ける。
【００１２】
したがって、下部品2に通気穴5を設けているため、ユーザーが飲む際、蓋の飲み口3を口に含むと、通気穴5の設置により、瓶内の水圧が外側の大気圧と同じになり、瓶内の真空が解かれるため、簡単に瓶内の液体を飲むことができる。上部品1を下部品2に掛合する際、上部品1にある円すい突起7が通気穴５を塞ぎ、瓶内の液体が漏れるのを防止する。上下部品の間にある掛合部品6により、上下部品がしっかりと掛合し、離れることがなく、ガスケット8にある切り口10により、瓶を倒しても、切り口10が水圧により自動的に閉鎖するため、瓶内の水が漏れるのを防止する。
以上のように、本考案の実施例の構造はシンプルで、設置が簡単であるため、生産効率が高く、大量生産に最適である。
【図面の簡単な説明】
【００１３】
【図１】本考案の実施例の組立構造の斜視図（一）である。
【図２】本考案の実施例を分解した部品斜視図（二）である。
【符号の説明】
【００１４】
1  上部品
2  下部品
3  飲み口
4  ねじ山
5  通気穴
6  掛合部品
7  円すい状突起
8  ガスケット
9  プレート
10 切り口
11 穴
【図１】
0003161492.tif 000003
【図２】
0003161492.tif 000004
【手続補正書】
【提出日】平成22年5月26日(2010.5.26)
【手続補正１】
【補正対象書類名】実用新案登録請求の範囲
【補正対象項目名】全文
【補正方法】変更
【補正の内容】
【実用新案登録請求の範囲】
【請求項１】
上部品と下部品を含み、
該上部品は該下部品と接続して嵌合し、下部品内に瓶口と対応する裏ねじ山および飲み口を設け、および
該下部品に通気穴を設け、該上部品には該通気穴を塞ぐ円すいの突起を設けることを特徴とする瓶の蓋の改良構造。
【請求項２】
前記下部品の内側に同じ形状のガスケットとプレートを設け、プレートでガスケットをしっかりと下部品内に固定することを特徴とする請求項１記載の瓶の蓋の改良構造。
【請求項３】
前記ガスケットの真ん中は凸状を呈し、外回りに切り口を設けることを特徴とする請求項２記載の瓶の蓋の改良構造。
【請求項４】
前記プレートに円形の穴を均等に設けることを特徴とする請求項２記載の瓶の蓋の改良構造。
【請求項５】
前記上下部品の間に掛合部品を設けることを特徴とする請求項１記載の瓶の蓋の改良構造。